(57)【要約】【課題】  各画素が、ストア容量とストレージ容量とを有するフィールドシーケンシャル方式の液晶表示装置において、画素の開口率を低下させることなく、ストア容量とストレージ容量とを形成する。【解決手段】  液晶表示パネルと、複数色の光を順次照射するバックライトとを備え、前記液晶表示パネルは、それぞれ画素電極を有する画素を複数有し、前記各画素は、ストア容量と、前記画素電極に一方の端子が接続されるストレージ容量とを有し、第１期間に、前記各画素のストア容量に書き込まれた映像電圧を一括して各画素の画素電極に印加し、前記第１期間に続く第２期間に、前記各画素のストア容量に映像電圧を順次書き込むとともに、前記バックライトが、前記各画素電極に印加された映像信号に対応する色の光を発光させる液晶表示装置であって、前記ストア容量と、前記ストレージ容量とは、積層されている。【選択図】        図８
2007155890.tif 000002
【特許請求の範囲】
【請求項１】
液晶表示パネルと、
複数色の光を順次照射するバックライトとを備え、
前記液晶表示パネルは、それぞれ画素電極を有する画素を複数有し、
前記各画素は、ストア容量と、
前記画素電極に一方の端子が接続されるストレージ容量とを有し、
第１期間に、前記各画素のストア容量に書き込まれた映像電圧を一括して各画素の画素電極に印加し、前記第１期間に続く第２期間に、前記各画素のストア容量に映像電圧を順次書き込むとともに、前記バックライトが、前記各画素電極に印加された映像信号に対応する色の光を発光させる液晶表示装置であって、
前記ストア容量と、前記ストレージ容量とは、積層されていることを特徴とする液晶表示装置。
【請求項２】
前記映像電圧は、Ｒ，Ｇ，Ｂの３色の映像信号であり、
前記３色の映像信号は、所定の順番で、前記ストア容量に書き込まれることを特徴とする請求項１に記載の液晶表示装置。
【請求項３】
前記各ストア容量の他方の端子は、ストレージ線に接続され、
前記各ストア容量の一方の端子と前記映像電圧が供給される映像線との間に第１トランジスタを有し、
前記第１トランジスタのゲートは、走査線に接続され、
前記走査線には、前記第２の期間に、前記第１トランジスタを表示ライン毎に順次オンとする選択電圧が供給され、前記第１の期間に、前記各第１トランジスタをオフとする非選択電圧が供給され、
前記各ストア容量の一方の端子と各画素電極との間に転送用トランジスタを有し、
前記転送用トランジスタのゲートは、転送用走査線に接続され、
前記転送走査線には、前記第２の期間に、前記転送用トランジスタをオフとする非転送電圧が供給され、前記第１の期間に、前記転送用トランジスタをオンとする転送電圧が供給されることを特徴とする請求項１または請求項２に記載の液晶表示装置。
【請求項４】
前記各ストレージ容量の他方の端子は、前記ストレージ線に接続され、
前記走査線および前記ストレージ線は、第１の方向に延長し、
前記映像線および前記転送用走査線は、第２の方向に延長し、
前記第１の方向と、前記第２の方向とは交差することを特徴とする請求項３に記載の液晶表示装置。
【請求項５】
前記各ストア容量と、前記各ストレージ容量とは、前記ストレージ線が形成される領域に形成されていることを特徴とする請求項４に記載の液晶表示装置。
【請求項６】
前記液晶表示パネルは、液晶層を狭持する一対の基板を有し、
前記一対の基板の一方の基板上に、第１の電極、第１の絶縁層、前記ストレージ線、第２の絶縁層、第２の電極の順に積み重ねられて形成され、
前記第１の電極と、前記第１の絶縁層と、前記ストレージ線とで前記ストア容量を構成し、
前記ストレージ線と、前記第２の絶縁層と、前記第２の電極とで、前記ストレージ容量を構成することを特徴とする請求項５に記載の液晶表示装置。
【請求項７】
前記ストレージ線は、前記第１の電極、および前記第２の電極と重なる部分が幅広に形成されていることを特徴とする請求項６に記載の液晶表示装置。
【請求項８】
前記第２の電極は、前記画素電極に接続されることを特徴とする請求項６または請求項７に記載の液晶表示装置。
【請求項９】
前記第１の期間の初めに、前記各画素電極にリセット電圧を印加することを特徴とする請求項１ないし請求項８のいずれか１項に記載の液晶表示装置。
【請求項１０】
前記リセット電圧が供給されるリセット線を有し、
前記リセット線と前記各画素電極との間に、リセット用トランジスタを有し、
前記リセット用トランジスタのゲートは、リセット走査線に接続され、
前記リセット走査線には、前記第２の期間の初めに、前記リセット用トランジスタをオンとする電圧が供給されることを特徴とする請求項９に記載の液晶表示装置。
【請求項１１】
前記映像線は、リセット線を兼用することを特徴とする請求項９または請求項１０に記載の液晶表示装置。
【請求項１２】
前記ストレージ容量は、前記ストア容量よりも液晶に近い側に位置することを特徴とする請求項１ないし請求項１１のいずれか１項に記載の液晶表示装置。
【発明の詳細な説明】
【技術分野】
【０００１】
本発明は、液晶表示装置に係り、特に、フィールドシーケンシャル方式の液晶表示装置に関する。
【背景技術】
【０００２】
フィールドシーケンシャル方式の液晶表示装置では、カラー画像を表示するのにカラーフィルタを使用せずに、赤、緑、青の映像信号を順次液晶パネルの各画素に書き込み、それにあわせて、バックライトからの発光色を赤、緑、青と切り替えて順次点灯させ、カラー画像を表示する。
このフィールドシーケンシャル方式の液晶表示装置は、カラーフィルタが必要ないため、カラーフィルタによる光の吸収がなく、さらに、カラーフィルタ方式のように、液晶表示パネルに、赤、緑、青の画素を作る必要がなく、画素の開ロ領域が広く取れるので、表示画像の輝度を向上させることが可能である。また、当然の如く、カラーフィルタ分のコストも下げることができる。
しかしながら、１フレーム内で、赤、緑、青の画像を表示するため、バックライトの点灯時間を長くして、表示画像の輝度を向上させるためには、映像電圧の書き込み時間を短縮する必要があった。
そのため、各画素に、コンデンサとその充電を制御するトランジスタから成るメモリを設け、このメモリに表示情報を蓄積するステップと、表示情報を画素電極に書き込み期間を分離し、書き込み時間を短縮することが、例えば、下記特許文献１に記載されている。
【０００３】
なお、本願発明に関連する先行技術文献としては以下のものがある。
【特許文献１】特開２００３−１２２３１４号公報
【発明の開示】
【発明が解決しようとする課題】
【０００４】
しかしながら、前述の特許文献１に記載されているフィールドシーケンシャル方式の液晶表示装置は、ストレージ容量（または、保持容量）を備えるものではなく、メモリを構成するコンデンサと、ストレージ容量とをどのようにして形成するかも開示されていない。
本発明は、前記従来技術の問題点を解決するためになされたものであり、本発明の目的は、各画素が、ストア容量とストレージ容量とを有するフィールドシーケンシャル方式の液晶表示装置において、画素の開口率を低下させることなく、ストア容量とストレージ容量とを形成することが可能な技術を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
（１）本発明は、液晶表示パネルと、複数色の光を順次照射するバックライトとを備え、前記液晶表示パネルは、それぞれ画素電極を有する画素を複数有し、前記各画素は、ストア容量と、前記画素電極に一方の端子が接続されるストレージ容量とを有し、第１期間に、前記各画素のストア容量に書き込まれた映像電圧を一括して各画素の画素電極に印加し、前記第１期間に続く第２期間に、前記各画素のストア容量に映像電圧を順次書き込むとともに、前記バックライトが、前記各画素電極に印加された映像信号に対応する色の光を発光させる液晶表示装置であって、前記ストア容量と、前記ストレージ容量とは、積層されている。
（２）また、本発明では、前記映像電圧は、Ｒ，Ｇ，Ｂの３色の映像信号であり、前記３色の映像信号は、所定の順番で、前記ストア容量に書き込まれる。
【０００６】
（３）また、本発明では、前記各ストア容量の他方の端子は、ストレージ線に接続され、前記各ストア容量の一方の端子と前記映像電圧が供給される映像線との間に第１トランジスタを有し、前記第１トランジスタのゲートは、走査線に接続され、前記走査線には、前記第２の期間に、前記第１トランジスタを表示ライン毎に順次オンとする選択電圧が供給され、前記第１の期間に、前記各第１トランジスタをオフとする非選択電圧が供給され、前記各ストア容量の一方の端子と各画素電極との間に転送用トランジスタを有し、前記転送用トランジスタのゲートは、転送用走査線に接続され、前記転送走査線には、前記第２の期間に、前記転送用トランジスタをオフとする非転送電圧が供給され、前記第１の期間に、前記転送用トランジスタをオンとする転送電圧が供給される。
（４）また、本発明では、前記各ストレージ容量の他方の端子は、前記ストレージ線に接続され、前記走査線および前記ストレージ線は、第１の方向に延長し、前記映像線および前記転送用走査線は、第２の方向に延長し、前記第１の方向と、前記第２の方向とは交差する。
（５）また、本発明では、前記各ストア容量と、前記各ストレージ容量とは、前記ストレージ線が形成される領域に形成されている。
【０００７】
（６）また、本発明では、前記液晶表示パネルは、液晶層を狭持する一対の基板を有し、前記一対の基板の一方の基板上に、第１の電極、ストア容量を構成する第１の絶縁層、前記ストレージ線、ストレージ容量を構成する第２の絶縁層、第２の電極の順に積み重ねられて形成され、前記第１の電極と、ストア容量を構成する第１の絶縁層と、前記ストレージ線とで前記ストア容量を構成し、前記ストレージ線と、ストレージ容量を構成する第２の絶縁層と、前記第２の電極とで、前記ストレージ容量を構成する。
（７）また、本発明では、前記ストレージ線は、前記第１の電極、および前記第２の電極と重なる部分が幅広に形成されている。
（８）また、本発明では、前記第２の電極は、前記画素電極に接続される。
（９）また、本発明では、前記第１の期間の初めに、前記各画素電極にリセット電圧を印加する。
（１０）また、本発明では、前記リセット電圧が供給されるリセット線を有し、前記リセット線と前記各画素電極との間に、リセット用トランジスタを有し、前記リセット用トランジスタのゲートは、リセット走査線に接続され、前記リセット走査線には、前記第２の期間の初めに、前記リセット用トランジスタをオンとする電圧が供給される。
（１１）また、本発明では、前記映像線は、リセット線を兼用する。
（１２）また、本発明では、前記ストレージ容量は、前記ストア容量よりも液晶に近い側に位置する。
【発明の効果】
【０００８】
本願において開示される発明のうち代表的なものによって得られる効果を簡単に説明すれば、下記の通りである。
本発明によれば、各画素が、ストア容量とストレージ容量とを有するフィールドシーケンシャル方式の液晶表示装置において、画素の開口率を低下させることなく、ストア容量とストレージ容量とを形成することが可能となる。
【発明を実施するための最良の形態】
【０００９】
以下、図面を参照して本発明の実施例を詳細に説明する。
なお、実施例を説明するための全図において、同一機能を有するものは同一符号を付け、その繰り返しの説明は省略する。
図１は、本発明の実施例１の液晶表示モジュールの概略構成を示すブロック図である。
本実施例の液晶表示モジュールは、複数の画素を有する液晶表示パネル１０と、バックライト（ＢＬ）とを有する。液晶表示パネル１０は、各画素に映像電圧を供給するソースドライバ２０と、走査電圧を供給するゲートドライバ３０とを有する。
バックライト（ＢＬ）は、点灯制御回路４０により駆動される。そして、ソースドライバ２０、ゲートドライバ３０、および点灯制御回路４０は、タイミング制御回路５０により制御・駆動される。
液晶表示パネル１０は、Ｎ行、Ｍ列のマトリックス状に配置される（Ｎ×Ｍ）の画素を有する。
【００１０】
図２は、本実施例の液晶表示パネル１０の１画素の構成を示す図であり、また、図３は、図２に示す画素の等価回路を示す回路図である。
図２に示すように、本実施例の液晶表示パネル１０の各画素は、画素電極（ＩＴＯ１）と、ストア容量（Ｃｓｔ）と、ストレージ容量（または、保持容量；Ｃａｄｄ）とを有する。ストレージ容量（Ｃａｄｄ）の一方の端子は、画素電極（ＩＴＯ１）に接続される。
映像線（または、ドレイン線）（Ｄ）とストア容量（Ｃｓｔ）の一方の端子との間には、第１薄膜トランジスタ（Ｍ１；以下、単に、ＴＦＴという。）が接続される。この第１ＴＦＴ（Ｍ１）のゲートは、走査線（または、ゲート線）（Ｇ）に接続される。
また、ストア容量（Ｃｓｔ）の一方の端子と画素電極（ＩＴＯ１）との間には、転送用ＴＦＴ（Ｍ２）が接続される。この転送用ＴＦＴ（Ｍ２）のゲートは、転送用走査線（ＴＧ）に接続される。
ここで、走査線（Ｇ）、および、転送用走査線（ＴＧ）は、各表示ラインに対応してＮ本並列して配置され、映像線（Ｄ）は、Ｍ本並列して配置される。走査線（Ｇ）と、複数の映像線（Ｄ）との交差する部分に対応して画素が設けられる。
なお、走査線（Ａ）、および、転送用走査線（ＴＧ）は、ゲートドライバ３０に接続され、映像線（Ｄ）は、ソースドライバ２０に接続される。
また、各画素電極（ＩＴＯ１）には、リセット線（Ｖｒｓ）に供給されるリセット電圧を印加するリセット用ＴＦＴ（Ｍ３）が接続される。このリセット用ＴＦＴ（Ｍ３）のゲートは、リセット走査線（ＲＧ）に接続される。
リセット走査線（ＲＧ）は、各表示ラインに対応してＮ本並列して配置され、リセット線（Ｖｒｓ）は、Ｍ本並列して配置される。
なお、リセット走査線（ＲＧ）、および、リセット線（Ｖｒｓ）は、ゲートドライバ３０に接続される。
【００１１】
本実施例の液晶表示パネル１０では、液晶を挟み、各画素電極（ＩＴＯ１）に対向するように、共通電極（対向電極、または、コモン電極ともいう）（Ｖｃｏｍ）が設けられる。そのため、各画素電極（ＩＴＯ１）と共通電極（Ｖｃｏｍ）との間には液晶容量（ＬＣ）が形成される。各画素の画素容量には、この液晶容量（ＬＣ）が含まれる。
また、ストア容量（Ｃｓｔ）の他方の端子と、ストレージ容量（Ｃａｄｄ）の他方の端子は、ストレージ線（ＣＴ）に接続される。このストレージ線（ＣＴ）には、共通電極（Ｖｃｏｍ）に印加される電圧と同じ電圧が印加される。
液晶表示パネル１０は、画素電極（ＩＴＯ１）、トランジスタ（ＴＦＴ）等が設けられたガラス基板（ＧＬＡＳ１）と、共通電極（Ｖｃｏｍ）等が形成されるガラス基板（ＧＬＡＳ２）とを、所定の間隙を隔てて重ね合わせ、該両基板間の周縁部近傍に枠状に設けたシール材により、両基板を貼り合わせると共に、シール材の一部に設けた液晶封入口から両基板間のシール材の内側に液晶を封入、封止し、さらに、両基板の外側に偏光板を貼り付けて構成される。
なお、本発明は、液晶パネルの内部構造とは関係がないので、液晶パネルの内部構造の詳細な説明は省略する。
【００１２】
図４は、本実施例の液晶表示モジュールの駆動方法を説明するための図である。なお、図４において、Ｔ１は、液晶が応答する期間、Ｔ２は、ストア容量（Ｃｓｔ）への映像信号の書き込み期間、および、バックライトの点灯期間を示す。また、ＦＬＭは、フレーム期間、ＳＦＬＭは、サブフレームを表す。
図５は、本実施例の液晶表示モジュールの駆動方法を説明するためのタイミングチャートである。なお、図５において、Ｇ１〜Ｇｎは、走査線（Ｇ１〜Ｇｎ）に供給される電圧、ＴＧは、転送用走査線（ＴＧ）に供給される電圧、ＲＢは、リセット走査線（ＲＧ）に印加される電圧を示す。また、ＢＬはバックライトの発光色を示す。
本実施例では、例えば、ｋを任意の数とするとき、ｋフレーム期間の第１のサブフレームのＴ２の期間に、ＴＦＴ（Ｍ１）を１表示ライン毎に順次オンとして、映像線（Ｄ）からストア容量（Ｃｓｔ）に、Ｒの映像信号を書き込む。
次に、第２のサブフレームのＴ１の期間に、転送用ＴＦＴ（Ｍ２）をオンとして、ストア容量（Ｃｓｔ）に書き込まれたＲの映像信号を画素容量に書き込み、Ｔ２の期間内で、液晶応答が終了した後に、バックライト（ＢＬ）から赤色の光を照射する。
同時に、このＴ２の期間に、ＴＦＴ（Ｍ１）を１表示ライン毎に順次オンとして、映像線（Ｄ）からストア容量（Ｃｓｔ）に、Ｇの映像信号を書き込む。
次に、第３のサブフレームのＴ１の期間に、転送用ＴＦＴ（Ｍ２）をオンとして、ストア容量（Ｃｓｔ）に書き込まれたＧの映像信号を画素容量に書き込み、Ｔ２の期間内で、液晶応答が終了した後に、バックライト（ＢＬ）から緑色の光を照射する。
同時に、このＴ２の期間に、ＴＦＴ（Ｍ１）を１表示ライン毎に順次オンとして、映像線（Ｄ）からストア容量（Ｃｓｔ）に、Ｂの映像信号を書き込む。
【００１３】
（ｋ＋１）フレーム期間の第１のサブフレームのＴ１の期間に、転送用ＴＦＴ（Ｍ２）をオンとして、ストア容量（Ｃｓｔ）に書き込まれたＢの映像信号を画素容量に書き込み、Ｔ２の期間内で、液晶応答が終了した後に、バックライト（ＢＬ）から青色の光を照射する。
同時に、このＴ２の期間に、ＴＦＴ（Ｍ１）を１表示ライン毎に順次オンとして、映像線（Ｄ）から第２のストア部（ＰＳＢ）の第２のストア容量（ＣｓＢ）に、Ｒの映像信号を書き込む。以下、同様にして、液晶表示パネル１０に画像を表示する。
また、各サブフレームのＴ１の期間の始めに、リセット用ＴＦＴ（Ｍ３）がオンとなり、画素電極（ＩＴＯ１）に、リセット線（Ｖｒｓ）からリセット電圧が書き込まれ、画素容量がリセットされる。
このように、本実施例では、バックライトの点灯期間（Ｔ２）内に、ストア容量（Ｃｓｔ）に映像信号を書き込むようにしたので、映像電圧の書き込み時間を長くすることができ、かつ、バックライト（ＢＬ）の点灯時間を長くして、表示画像の輝度を向上させることが可能となる。
【００１４】
しかしながら、本実施例では、ストア容量（Ｃｓｔ）と、ストレージ容量（Ｃａｄｄ）の２つの容量が必要であり、通常の製造方法により、１画素内に、ストア容量（Ｃｓｔ）と、ストレージ容量（Ｃａｄｄ）の２つの容量を作成すると、画素の開口率が低下する。そのため、本願実施例では、ストア容量（Ｃｓｔ）と、ストレージ容量（Ｃａｄｄ）とを積層して、画素の開口率を犠牲にすることなく、明るい効率良い表示を可能としている。
以下、本実施例の前述した構造について説明する。
図６は、本実施例の１画素の配線パターンを示す図である。
図６において、ＳＨ１〜ＳＨ５はスルーホール、Ｔａｄｄは、ストレージ容量（Ｃａｄｄ）の一方の端子となる電極、Ｔｓｔは、ストア容量（Ｃｓｔ）の一方の端子となる電極である。図６の等価回路を、図７に示す。
図６に示す例では、映像線（Ｄ）と、転送用走査線（ＴＧ）と、リセット走査線（ＲＧ）とは、第１の方向に延長し、ゲート線（Ｇ）と、ストレージ線（ＣＴ）とは、第１の方向とは直交する第２の方向に延長している。
また、図６に示す例では、映像線（Ｄ）がリセット線を兼用するために、映像線（Ｄ）には、映像電圧用の配線（Ｌ１）と、リセット電圧用の配線（Ｌ２）の２本の配線がスルーホール（ＳＨ１，ＳＨ５）を介して接続されている。
ＴＦＴ（Ｍ１）がオンとなると、映像電圧が、映像線（Ｄ）からストア容量（Ｃｓｔ）に一時蓄積される。そして、ＴＦＴ（Ｍ２）がオンとなると、ストア容量（Ｃｓｔ）に一時蓄積されていた映像電圧は、画素電極（ＩＴＯ１）に印加され、液晶表示パネル１０に画像が表示される。
【００１５】
本実施例では、ストア容量（Ｃｓｔ）と、ストレージ容量（Ｃａｄｄ）とを積層した構造を採用している。この積層構造を図８、図９を用いて説明する。
図８は、本実施例のストア容量（Ｃｓｔ）とストレージ容量（Ｃａｄｄ）との積層構造を説明するために、図６の配線パターンを簡単にした図である。
図９は、図８のＡ−Ａ’切断線に沿った断面構造を示す断面図である。なお、図９において、ＩＬ１は第１の層間絶縁膜、ＩＬ２は第２の層間絶縁膜、ＩＬ３は第３の層間絶縁膜である。
図８に示すように、ストレージ線（ＣＴ）の一部が幅広に形成される。そして、図９に示すように、ストレージ線（ＣＴ）の幅広部分を中心にして、金属膜（例えば、Ａｌなど）から成る第１の電極（Ｔｓｔ）と、第１の層間絶縁膜（ＩＬ１）と、ストレージ線（ＣＴ）とで、ストア容量（Ｃｓｔ）を構成する。
同様に、金属膜（例えば、Ａｌなど）から成る第２の電極（Ｔａｄｄ）と、第２の層間絶縁膜（ＩＬ２）と、ストレージ線（ＣＴ）とで、ストレージ容量（Ｃａｄｄ）と構成する。ここで、第２の電極（Ｔａｄｄ）は、画素電極（ＩＴＯ１）に接続される。
このように、図６に示す例では、ストレージ線（ＣＴ）の幅広部分を挟んで、電極（Ｔｓｔ）と、電極（Ｔａｄｄ）を形成し、ストア容量（Ｃｓｔ）と、ストレージ容量（Ｃａｄｄ）とを積層するようにしたので、点灯面積を大きく確保して、開口率を向上させることができる。
【００１６】
また、配線をまとめた部分や、容量部分は透過率が悪いので、画素電極（ＩＴＯ１）を、前述した部分まで形成しないで、液晶容量（ＬＣ）の面積を小さし、それにより、ストア容量（Ｃｓｔ）と、ストレッジ容量（Ｃａｄｄ）を小さくしている。
よって、ストア容量（Ｃｓｔ）と、ストレージ容量（Ｃａｄｄ）の両方の容量を作る面積も小さくできるので、前述の特許文献１に記載されているものよりも、開口部分を広げることできる。
さらに、特許文献１に記載されているものでは、上側にあるメモリー容量電極にデータ電位が書き込まれるため、液晶に余計な電界がかかってしまう恐れがあり、表示に悪影響を及ぼす可能性があるが、本実施例では、上側の電極は画素電極と同じ電位であるため、表示に悪影響を及ぼすことがない。
さらに、図６に示す例では、映像線（Ｄ）がリセット線を兼用するようにしたので、配線を少なくして、画素の開口率を向上されることができる。
携帯機器は低消費電力であることが要求され、そのため、携帯機器に使用される液晶表示モジュールについても、低消費電力化の要求は大きい。
本実施例は、その点で、カラーフィルタを使用しない、フィールドシーケンシャル方式の液晶表示モジュールであるので、バックライトの消費電力を少なくすることができる。なおかつ、Ｒ、Ｇ、Ｂ用に表示面積を３分割しないため高精細表示が可能である。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１７】
【図１】本発明の実施例の液晶表示モジュールの概略構成を示すブロック図である。
【図２】本発明の実施例の液晶表示パネルの１画素の構成を示す図である。
【図３】図２に示す画素の等価回路を示す回路図である。
【図４】本発明の実施例の液晶表示モジュールの駆動方法を説明するための図である。
【図５】本発明の実施例の液晶表示モジュールの駆動方法を説明するためのタイミングチャートである。
【図６】本発明の実施例の液晶表示パネルの１画素の配線パターンを示す図である。
【図７】図６に示す配線パターンの等価回路を示す回路図である。
【図８】本発明の実施例の液晶表示モジュールのストア容量（Ｃｓｔ）とストレージ容量（Ｃａｄｄ）との積層構造を説明するために、図６の配線パターンを簡単にした図である。
【図９】図８のＡ−Ａ’切断線に沿った断面構造を示す断面図である。
【符号の説明】
【００１８】
１０  液晶表示パネル
２０  ソースドライバ
３０  ゲートドライバ
４０  点灯制御回路
５０  タイミング制御回路
Ｇ  走査線（またはゲート線）
Ｄ  映像線（またはドレイン線）
ＴＧ  転送用走査線
ＣＴ  ストレージ線
Ｖｒｓ  リセット線
ＲＧ  リセット走査線
ＢＬ  バックライト
Ｍ１，Ｍ２，Ｍ３  薄膜トランジスタ
ＩＴＯ１  画素電極
Ｖｃｏｍ  共通電極（対向電極、または、コモン電極）
ＣＬ  液晶容量
Ｃｓｔ  ストア容量
ＧＬＡＳ１，ＧＬＡＳ２  ガラス基板
Ｃａｄｄ  ストレージ容量
ＩＬ１〜ＩＬ３  層間絶縁膜
Ｔｓｔ，Ｔａｄｄ  電極
ＳＨ１〜ＳＨ５  スルーホール
Ｌ１，Ｌ２  配線
【図１】
2007155890.tif 000003
【図２】
2007155890.tif 000004
【図３】
2007155890.tif 000005
【図４】
2007155890.tif 000006
【図５】
2007155890.tif 000007
【図６】
2007155890.tif 000008
【図７】
2007155890.tif 000009
【図８】
2007155890.tif 000010
【図９】
2007155890.tif 000011